(57)【要約】【課題】ペットの犬や猫が迷子になった場合にその迷子探しを容易且つ効果的に行うことが可能なＳＮＳシステムを提供する。【解決手段】ＳＮＳシステム１は、ペットの写真及び当該写真に対するコメントの投稿及び閲覧を通じて複数のユーザ間の交流を支援するソーシャルネットワーキングサービスを提供するＳＮＳサーバ２を備えている。ＳＮＳサーバ２は、生活拠点の位置情報を含む複数のユーザの属性情報を管理するユーザ情報管理部２ａと、迷子発生地点の位置情報を含むペットの迷子情報を管理する迷子情報管理部２ｄとを備え、第１のユーザに紐づけられた第１のペットの迷子情報が登録されている場合に、第１のペットの迷子発生地点から一定範囲内に前記生活拠点を登録している第２のユーザに第１のペットの迷子情報を提供する。第２のユーザのユーザ端末４には第１のペットの迷子情報が掲示された迷子掲示板が表示される。【選択図】図１
2018036762.tif 000002
【特許請求の範囲】
【請求項１】
ペットの写真及び当該写真に対するコメントの投稿及び閲覧を通じて複数のユーザ間の交流を支援するソーシャルネットワーキングサービスを提供するＳＮＳサーバを備え、
前記ＳＮＳサーバは、
生活拠点の位置情報を含む前記複数のユーザの属性情報を管理するユーザ情報管理部と、
迷子発生地点の位置情報を含むペットの迷子情報を管理する迷子情報管理部とを備え、
第１のユーザに紐づけられた第１のペットの迷子情報が登録されている場合に、前記第１のペットの迷子発生地点から一定範囲内に生活拠点を登録している第２のユーザに前記第１のペットの迷子情報を提供することを特徴とするＳＮＳシステム。
【請求項２】
前記ＳＮＳサーバは、
第３のユーザが使用するユーザ端末から送られてくる現在位置情報から前記第３のユーザが前記ＳＮＳサーバにログインした際のログイン位置を特定し、
前記第１のペットの迷子情報が登録されている場合に、前記第１のペットの迷子発生地点から一定範囲内からログインしてきた前記第３のユーザに前記第１のペットの迷子情報を提供する、請求項１に記載のＳＮＳシステム。
【請求項３】
前記生活拠点の位置情報は、ユーザによって選択された避難所の位置情報である、請求項１又は２に記載のＳＮＳシステム。
【請求項４】
前記ＳＮＳサーバは、前記第１のペットを含む複数のペットの属性情報を管理するペット情報管理部をさらに備え、前記ペット情報管理部に予め登録されている前記第１のペットの属性情報の一部を利用して前記第１のペットの迷子情報を生成する、請求項１乃至３のいずれか一項に記載のＳＮＳシステム。
【請求項５】
前記複数のペットの属性情報は、第１及び第２のステータスを含むペットのステータス情報を含み、
前記ＳＮＳサーバは、前記ステータス情報に基づいてペットのステータスを判断し、当該ペットが第１のステータスである場合に当該ペットの迷子情報作成ページを提供し、当該ペットが第２のステータスである場合に当該ペットの迷子情報作成ページを提供しない、請求項４に記載のＳＮＳシステム。
【発明の詳細な説明】
【技術分野】
【０００１】
本発明は、ＳＮＳ（Social Networking Service）システムに関し、特にペットを通じてペットの飼い主間のコミュニケーションの促進を図るためのＳＮＳシステムに関するものである。
【背景技術】
【０００２】
近年、フェースブック（登録商標）、ツイッター（登録商標）、インスタグラムなどのＳＮＳが広く利用されている。ＳＮＳとは、インターネット上の交流を通じて社会的ネットワークの構築を支援するサービスのことを言う。ユーザは会員登録することでサービスを利用することができ、趣味や嗜好、居住地域、出身校、あるいは「友人の友人」といったつながりを通じてユーザ間の交流を支援することができる。
【０００３】
ＳＮＳの典型的な機能としては、自分のプロフィールや写真を会員に公開する機能や、互いにメールアドレスなどを知られることなく別の会員にメッセージを送る機能、新しくできた「友人」を登録するアドレス帳、友人に別の友人を紹介する機能、会員や友人のみに公開範囲を制限できる日記帳、趣味や地域などテーマを決めて掲示板などで交流できるコミュニティ機能、予定や友人の誕生日などを書き込めるカレンダー・スケジュール機能などがある。通常、ユーザはウェブサイトや専用のスマートフォンアプリを通じてこれらの機能を利用することができる。
【０００４】
ＳＮＳの機能や構成は多様化しており、テーマや登録資格を絞った特定分野のＳＮＳや、企業などが従業員間の情報共有や交流促進のために運用する社内ＳＮＳなどもあるが、最近はペット専用ＳＮＳも提供されている（非特許文献１〜４）。非特許文献１〜４のペット専用ＳＮＳはスマートフォンアプリにも対応しており、犬猫以外にもウサギやネズミなどの小動物、鳥、爬虫類、昆虫、魚など、さまざま種類のペットを通じてユーザ間のネットワークを構築することが可能である。
【０００５】
また特許文献１には、ユーザＩＤに一又は複数のペットＩＤを対応づけて、ペットを所有するユーザの端末から、ペットが主体となる送信先の指定を含むメッセージ情報の送受信を行うことにより、端末を操作できないペットであっても指定された他のペットとのメッセージ交換を可能とし、これによりペット同士のソーシャルネットワークを構築することが可能な代理ＳＮＳ提供装置及び方法が記載されている。
【０００６】
また特許文献２には、ユーザが所有するペット等の所有物を通じたコミュニケーションを十分に且つ円滑に図るのに好適なコミュニケーション支援システムが記載されている。このシステムでは、ペットの立場で投稿された記事がペットＩＤと対応づけて記事管理テーブルに登録され、ユーザの立場で投稿されたコメントがユーザＩＤと対応づけてコメント管理テーブルに登録される。さらに、グループＡに属するユーザのユーザ端末には、記事管理テーブルの記事のうちグループＡに属するペットの記事、コメント管理テーブルのコメントのうちグループＡに属するユーザのコメント、記事管理テーブルの記事のうちグループＡにファン登録されたペットの記事、及び、コメント管理テーブルのコメントのうちグループＡにファン登録されたペットのユーザのコメントが送信される。
【０００７】
また特許文献３には、ペットのパートナーを探しているオーナー等に対して適切なペットとオーナーを紹介するマッチング処理システムが記載されている。さらに特許文献４には、携帯端末を用いて迷子や行方不明になったペット、徘徊老人などの捜索を行う捜索支援システムが記載されている。このシステムでは、捜索対象であるペット等が所持している発信装置からＩＤを含む近距離無線通信の電波が設定時間毎に送信され、携帯端末が近距離無線通信の電波を検出すると捜索支援プログラムが起動されて発見通知がサーバに送信されるので、携帯端末にかかる処理負荷を抑えることができる。
【先行技術文献】
【特許文献】
【０００８】
【特許文献１】特開２０１２−２１６０７０号公報
【特許文献２】特開２０１５−４３１３４号公報
【特許文献３】特開２０１５−０７６０８２号公報
【特許文献４】特開２０１５−２３０４８９号公報
【非特許文献】
【０００９】
【非特許文献１】"ペットオーナーやペット好きな人のための専用SNS ペットスマイル!"、［online］、平成２７年９月５日、株式会社ペットスマイル、［平成２８年８月１日検索］、インターネット＜URL：http://pet-smile.net/＞
【非特許文献２】"パシャっとmyペット?国内最大級！写真でつながる親ばか交流アプリ?"、［online］、平成２６年３月４日、株式会社サイバーエージェント、［平成２８年８月１日検索］、インターネット＜URL：http://petpic.jp/＞
【非特許文献３】"ペット好きコミュニティ ［ぺとりごと］"、［online］、平成２４年１１月１日、株式会社リクルートホールディングス、［平成２８年８月１日検索］、インターネット＜URL：https://petorigoto.jp/＞
【非特許文献４】"Platpet - 株式会社バイトルヒクマ"、［online］、平成２５年５月２１日、株式会社バイトルヒクマ、［平成２８年８月１日検索］、インターネット＜URL：http://www.bai.co.jp/product/4010/platpet.html/＞
【発明の概要】
【発明が解決しようとする課題】
【００１０】
犬や猫などのペットは迷子になることがよくある。震災後の被災地ではそのような問題が顕著である。飼い主が迷子になったペットを探す方法としては、近所の公共掲示板や電柱などにペットが迷子になったことを知らせる張り紙を張る方法が典型的であるが、最近はインターネット上の電子掲示板にペットの迷子捜索願を掲示する方法や、あるいはＳＮＳを利用してペットの迷子捜索願を拡散させる方法も利用されるようになってきた。
【００１１】
しかしながら、インターネット上の電子掲示板にペットの迷子捜索願を掲示する場合、迷子のペットを見つけてくる可能性がある近隣の人たちが常日頃からその電子掲示板を見てくれているとは限らず、現状では効果がほとんど期待できない。また通常のＳＮＳを利用して迷子のペットを探す場合、ペットの飼い主であるＳＮＳのユーザの友達登録が少ない場合には、ペットの捜索願を十分に拡散させることができない。友達登録が非常に多かったとしても、ペット対してあまり関心がない人である場合には、ペットの捜索にも協力的でないことから、十分な効果が期待できない。さらに、ペットが迷子になったエリアとは関係のないエリアの人たちにもペットの捜索願が広範囲に送られて個人情報が必要以上に拡散してしまうという問題もある。
【００１２】
本発明は上記問題を解決するためになされたものであり、犬や猫に代表されるペットが迷子になった場合にその迷子探しを容易且つ効果的に行うことが可能なＳＮＳシステムを提供することを目的とする。
【課題を解決するための手段】
【００１３】
上記課題を解決するため、本発明によるＳＮＳシステムは、ペットの写真及び当該写真に対するコメントの投稿及び閲覧を通じて複数のユーザ間の交流を支援するソーシャルネットワーキングサービスを提供するＳＮＳサーバを備え、前記ＳＮＳサーバは、生活拠点の位置情報を含む前記複数のユーザの属性情報を管理するユーザ情報管理部と、迷子発生地点の位置情報を含むペットの迷子情報を管理する迷子情報管理部とを備え、第１のユーザに紐づけられた第１のペットの迷子情報が登録されている場合に、前記第１のペットの迷子発生地点から一定範囲内に生活拠点を登録している第２のユーザに前記第１のペットの迷子情報を提供することを特徴とする。
【００１４】
犬や猫などのペットが主役となるペット専用ＳＮＳを利用するユーザの多くは犬や猫をペットとして飼っている人たちであり、いつ自分のペットが迷子になるかもしれないため、ペットの迷子は他人事ではない。またペット専用ＳＮＳのユーザであれば、たとえペットを飼っていなかったとしても犬や猫に強い関心を持っているはずであるから、迷子探しにも協力的であるものと期待できる。本発明によれば、このようなペット専用ＳＮＳのユーザに対してペットの迷子探しの協力を求めることにより、迷子のペットが発見される確率を高めることができる。またペット専用ＳＮＳ上ではペットの飼い主であるユーザの属性情報として生活拠点の位置情報を登録しているので、この位置情報を利用することで、迷子になったペットやその飼い主のユーザをフォローしているか否かを問わず、迷子発生エリア内に住んでいる地元のユーザに対して迷子のペットの捜索に対する協力を簡単に求めることができ、個人情報の過度な拡散を抑えつつペットが発見される確率を大幅に高めることができる。
【００１５】
本発明において、前記ＳＮＳサーバは、第３のユーザが使用するユーザ端末から送られてくる現在位置情報から前記第３のユーザが前記ＳＮＳサーバにログインした際のログイン位置を特定し、前記第１のペットの迷子情報が登録されている場合に、前記第１のペットの迷子発生地点から一定範囲内からログインしてきた前記第３のユーザに前記第１のペットの迷子情報を提供することが好ましい。これによれば、ペットの迷子発生エリアを訪れているユーザに対しても迷子のペットの捜索に対する協力を簡単に求めることができ、ペットを探すことができる協力者をさらに増やすことができる。
【００１６】
本発明において、前記生活拠点の位置情報は、ユーザによって選択された避難所の位置情報であることが好ましい。このように、ユーザの自宅の位置情報ではなく、自宅近くの避難所の位置情報をユーザの生活拠点の位置情報として登録させることにより、ユーザの個人情報を保護して安全に楽しくＳＮＳを利用してもらうことができる。また、避難所を常に意識してもらうことができ、防災面にも貢献することができる。なお「避難所」とは、災害が発生して被害を受けた者又は現に被害を受けるおそれのある者を一時的に受け入れ、保護するための施設や場所のことを言い、災害対策基本法等の法律や規則に基づいて市町村長が指定した小・中学校の体育館及び校舎又は公民館などが該当する。通常、任意の場所から徒歩圏内（例えば２ｋｍ圏内）には避難所が少なくとも一つ設けられているため、避難所の位置情報はユーザの生活拠点を示す情報として好適である。また１つの避難所のカバーエリアは犬が迷子になってから数日中の行動範囲とも合致しているので、迷子捜索のカバー範囲としても好適である。
【００１７】
本発明において、前記ＳＮＳサーバは、前記第１のペットを含む複数のペットの属性情報を管理するペット情報管理部をさらに備え、前記ペット情報管理部に予め登録されている前記第１のペットの属性情報の一部を利用して前記第１のペットの迷子情報を生成することが好ましい。このように、ＳＮＳサーバに予め登録されているペットの情報を利用して迷子情報を作成することにより、迷子情報を短時間で容易に作成することができる。
【００１８】
本発明において、前記複数のペットの属性情報は、第１及び第２のステータスを含むペットのステータス情報を含み、前記ＳＮＳサーバは、前記ステータス情報に基づいてペットのステータスを判断し、当該ペットが第１のステータスである場合に当該ペットの迷子情報作成ページを提供し、当該ペットが第２のステータスである場合に当該ペットの迷子情報作成ページを提供しないことが好ましい。この場合、前記ステータス情報はペットの生死に関する生死ステータス情報であり、前記第１のステータスは前記ペットが生きている状態であり、前記第２のステータスは前記ペットが死んでいる状態であることが好ましい。このように、ペットのステータスによっては迷子情報を登録できないようにすることできるので、ＳＮＳのユーザビリティを向上させることができる。
【００１９】
本発明において、前記ＳＮＳサーバは、第３のユーザが使用するユーザ端末から送られてくる現在位置情報から前記第３のユーザの位置を特定し、前記第３のユーザの位置から一定範囲内に前記生活拠点を登録している第４のユーザに紐付けられた第２のペットの写真を前記第３のユーザに提供することが好ましい。このようにすることで、ユーザがペットを通じて地域コミュニティと交流を深める機会を与えることができ、ＳＮＳの活性化を図ることができる。
【００２０】
本発明において、前記ＳＮＳサーバは、ペットの写真と共に当該写真の撮影位置情報を管理し、第３のユーザが使用するユーザ端末から送られてくる現在位置情報から前記第３のユーザの位置を特定し、前記第３のユーザの位置から一定範囲内で撮影された第３のペットの写真を前記第３のユーザに提供することが好ましい。このようにすることで、ユーザがペットを通じて他のユーザと交流を深める機会を与えることができ、ＳＮＳの活性化を図ることができる。
【発明の効果】
【００２１】
本発明によれば、犬や猫に代表されるペットを通じてユーザ間の交流を促進・支援するためのＳＮＳシステムにおいて、ペットが迷子になった場合にその迷子探しを容易且つ効果的に行うことできる。
【図面の簡単な説明】
【００２２】
【図１】図１は、本発明の実施の形態によるＳＮＳシステムの全体構成を概略的に示すブロック図である。
【図２】図２は、ユーザアカウントに関連付けられた各種データの構造を示すデータツリー図である。
【図３】図３は、ユーザ登録ページの一例を示す画面図である。
【図４】図４は、「ひろば」ページの構成の一例を示す画面図である。
【図５】図５は、記事詳細ページの構成の一例を示す画面図である。
【図６】図６は、記事作成ページの構成の一例を示す画面図である。
【図７】図７は、位置情報追加ページの構成の一例を示す画面図である。
【図８】図８は、「ほんだな」ページの構成の一例を示す画面図である。
【図９】図９は、「タイムライン」ページの構成の一例を示す画面図である。
【図１０】図１０は、「エリア」ページの構成の一例を示す画面図である。
【図１１】図１１は、「おうち」ページの構成の一例を示す画面図である。
【図１２】図１２は、「新規ブック作成」ページの構成の一例を示す画面図である。
【図１３】図１３は、「どうぶつブック」閲覧ページの構成の一例を示す画面図である。
【図１４】図１４は、「ペットプロフィール編集」ページの構成の一例を示す画面図である。
【図１５】図１５は、「迷子掲示板作成」ページの構成の一例を示す画面図である。
【図１６】図１６は、ペットの迷子が発生しているときの「エリア」ページの表示状態を示す画面図である。
【発明を実施するための形態】
【００２３】
以下、添付図面を参照しながら、本発明の好ましい実施の形態について詳細に説明する。
【００２４】
図１は、本発明の実施の形態によるＳＮＳシステムの全体構成を概略的に示すブロック図である。
【００２５】
図１に示すように、このＳＮＳシステム１は、ソーシャルネットワーキングサービス（ＳＮＳ）を提供するＳＮＳサーバ２と、インターネット３を介してＳＮＳサーバ２にアクセス可能な複数のユーザ端末４とで構成されている。
【００２６】
本実施形態によるＳＮＳシステム１は、ペットの写真及び当該写真に対するコメントの投稿及び閲覧を通じて複数のユーザ間の交流を支援するためのペット専用ＳＮＳを提供するものであり、特に、犬猫ペット専用ＳＮＳを提供するものである。犬猫ペット専用ＳＮＳとは、犬又は猫が主役となり、それらの話題（写真）を通じて主にその飼い主であるユーザ間の交流を促進・支援するＳＮＳのことを言う。したがって、人間が主役となり、旅行、グルメ、スポーツなど話題を通じてユーザ間の交流を促進・支援する一般的なＳＮＳとは区別される。
【００２７】
ペットの中でも犬や猫は非常に身近な存在であり、多くの家庭で飼われているため、犬猫ペット専用ＳＮＳが地域コミュニティの活性化のために果たす役割も大きいものと期待される。ペットの種類は犬や猫の他にも様々であるが、犬や猫ほど多く飼われているペットは他になく、他のペットでは地域コミュニティを活性化させるほどの効果は期待できない。また他のペットの場合には、そのペットの良さが多くの人に共感されにくく、その種類のペットを飼っている人たちだけに限定されるが、犬や猫であればそれらを飼っていない人であっても親しみやすく、その可愛らしさに共感することができるので、ペットの飼い主以外の人にもＳＮＳを利用してもらいやすいという利点がある。
【００２８】
また、犬や猫は非常に多く飼われており、首輪や紐が外れたり、放し飼いされたりする場合もあることから、迷子の発生件数が非常に多い反面、迷子の発見も比較的容易である。これに対し、例えば鳥類、爬虫類、昆虫などはゲージから脱走して行方不明になるとその捜索は極めて困難であり、他人に気軽に依頼できるレベルのものではない。このような理由から、犬猫専用ペットＳＮＳはソーシャルなコミュニケーションツールとして適しているだけでなく、犬や猫が迷子になったとき他人にその捜索を依頼するツールとしても非常に便利である。
【００２９】
ＳＮＳサーバ２はウェブサーバやデータベースサーバなど複数のサーバ機能の組み合わせによって実現されており、そのハードウェア及びソフトウェアは特に限定されない。ＳＮＳサーバ２は、インターネット３を介して避難所データベース５ａや地図データベース５ｂにアクセス可能であり、避難所に関する情報や地図情報を取得することができる。
【００３０】
ユーザ端末４の代表例はスマートフォンであるが、データ入力機能、ディスプレイ機能、ＧＰＳ機能及びカメラ機能を有し、インターネット３に接続可能なモバイル端末であればその種類は特に限定されず、タブレット端末、フューチャーフォン（ガラケー）、ノートＰＣなどでもよく、種々のモバイル端末を対象とすることができる。さらにユーザ端末４としてデスクトップＰＣを使用することも可能である。ユーザ端末４にはＳＮＳクライアント専用のアプリケーションプログラム（以下、ＳＮＳアプリという）がインストールされており、ユーザはユーザ端末４上でＳＮＳアプリ４ａを起動することによりサービスを利用することができる。
【００３１】
ＳＮＳサーバ２は、ユーザに関する情報を管理するユーザ情報管理部２ａ、ペットに関する情報を管理するペット情報管理部２ｂ、ペットに関するユーザの投稿記事などを管理する記事管理部２ｃ、迷子のペットに関する情報を管理する迷子情報管理部２ｄを備えている。
【００３２】
ユーザ情報管理部２ａは、ユーザに関する情報として、例えば「ユーザＩＤ」、「ユーザ名」、「パスワード」、「Ｅメールアドレス」、「避難所の名称」、「避難所の位置情報」、「プロフィール」などの属性情報を管理している。またユーザ情報管理部２ａは、ユーザがフォローしているペット、ブック、ハッシュタグなどのデータ、さらにはＳＮＳサーバへのアクセスログなどを管理している。避難所情報としては、「避難所の名称」や「避難所の位置情報」の代わりに、避難所データベース５ａ上の「避難所コード」を管理してもよい。
【００３３】
ペット情報管理部２ｂは、ペットに関する情報として、「ユーザＩＤ」と関連付けられた「ペットＩＤ」、ペットの「名前」、「性別」、「種類（犬・猫）」、「体重」、「身長」、「誕生日」、「プロフィール（紹介文）」、「特徴」、首輪の色や素材、迷子札の有無などの「首輪の特徴」、「マイクロチップ情報」、「鑑札（犬の場合）」、「プロフィール写真」、「生死（ステータス）」などの属性情報を管理している。
【００３４】
記事管理部２ｃは、ペットに関する記事として、「記事ＩＤ」、「投稿日時」、「写真」、「撮影位置情報（経度・緯度）」、「コメントＩＤ」、「コメント内容」などのデータを管理している。また記事管理部２ｃは、複数の記事をグループ化するブックの「ブックＩＤ」、ペットに紐付けられる場合の「ペットＩＤ」、「ブック名」、「ブックの説明」、などのデータを管理している。
【００３５】
迷子情報管理部２ｄは、迷子のペットに関する情報として、「ペットＩＤ」と関連付けられた「迷子ＩＤ」、「迷子発生日時」、「迷子発生地点」、「いなくなったときの状況」、「迷子のペットを見つけた場合（の対処方法）」、「連絡先」などのデータを管理している。
【００３６】
図２（ａ）及び（ｂ）は、ユーザアカウントに関連付けられた各種データの構造を示すデータツリー図である。
【００３７】
図２（ａ）に示すように、一つユーザアカウント６には一又は複数のペットアカウント７を関連付けることができる。一つのユーザアカウント６に複数のペットアカウント７が関連付けられる場合とは、一人のユーザが複数匹のペットを飼っている場合を意味する。ユーザはペットに関する記事２０をペットごとに作成して投稿することができ、当該記事２０はペットアカウント７に関連付けられた状態で登録される。
【００３８】
図２（ｂ）に示すように、記事２０は少なくとも１枚の写真２０ａで構成される。１枚の写真２０ａは１つの記事２０を構成するために必須の要素であり、写真がなければ記事は成立しない。写真２０ａには一又は複数のコメント２０ｃを付与することができる。コメント２０ｃは写真２０ａを投稿したユーザ本人からのものであってもよく、他のユーザからのものであってもよい。また記事２０には他のユーザがいわゆる「いいね！」ボタンを押すことによって付与される他のユーザからのリンク情報２０ｈを追加することができる。記事２０には写真の撮影位置情報２０ｇを追加することができる。記事２０を構成するデータはこれらに限定されず、他の様々なデータが含まれていてもよい。
【００３９】
ユーザが投稿した記事２０はいずれかのブック８に紐付けられる。ブック８は、記事２０をグループ化するデータフォルダであり、特定のペットに関する記事２０はそのペットアカウント７に関連付けられたブック８内に紐付けられて管理される。本実施形態では、一つのペットアカウント７に関連付けられたブック８Ａを「どうぶつブック」と呼ぶ。例えば、ペットＡに関連する記事２０はペットＡのどうぶつブック８Ａに紐付けられ、ペットＢに関連する記事２０はペットＢのどうぶつブック８Ａに紐付けられる。なお、ある記事２０がペットＡとペットＢの両方に関連する場合には、ペットＡのどうぶつブック８ＡとペットＢのどうぶつブック８Ａの両方に紐付けられることが好ましい。
【００４０】
ユーザは、ペットアカウント７に関連付けられていない記事２０を投稿することもできる。そのような記事２０は、ペットアカウント７に紐づいてない一又は複数のブック８Ｂに紐付けられて管理される。本実施形態では、ペットアカウント７に関連付けられていないブック８Ｂを「自由帳」と呼ぶ。例えば、ペットＡ、Ｂとは関係のない記事２０は自由帳８Ｂに紐付けられる。
【００４１】
ユーザがＳＮＳを利用するためにはユーザ登録が必要である。ユーザ登録では、「ユーザ名」、「パスワード」、「Ｅメールアドレス」などのユーザアカウントのほか、ユーザの自宅近くの「避難所」の登録が要求される。ユーザ登録前にＳＮＳアプリ４ａを起動すると、ＳＮＳアプリ４ａがＳＮＳサーバ２にアクセスした後、ユーザ登録ページに移行する。
【００４２】
図３は、ユーザ登録ページの一例を示す画面図である。
【００４３】
図３に示すように、ユーザ登録ページ１０Ｘには、「ユーザ名」入力フィールド３０ａ、「パスワード」入力フィールド３０ｂ、「Ｅメールアドレス」入力フィールド３０ｃ、「プロフィール」入力フィールド３０ｄがそれぞれ設けられている。また、ユーザ登録ページ１０Ｘには、地図上でユーザの自宅近くの避難所３０ｆをユーザに選択させるための避難所選択画面３０ｅが表示される。
【００４４】
ユーザ端末４に避難所選択画面３０ｅを提供するため、ＳＮＳサーバ２は、ユーザ端末４から送られてきたＧＰＳ位置情報を地図データベース５ｂに送信して地図情報を取得し、さらにＧＰＳ位置情報を避難所データベース５ａに送信して近隣の避難所情報を取得する（図１参照）。ＳＮＳサーバ２は、これらの情報をもとに避難所選択画面３０ｅを作成する。なお地図は画面をスライドさせることで移動させることができ、スライド後の画面の地図上には移動後の地域の避難所が表示される。避難所データベース５ａとしては、例えば、ファーストメディア株式会社より提供されている防災情報「全国避難所ガイド」などが知られている。また地図データベース５ｂとしては「Google Maps API」などが有名である。
【００４５】
ユーザは、ユーザ登録ページ１０Ｘ上の各入力フィールドに必要事項を入力し、さらに避難所３０ｆを選択し、「決定」ボタン３０ｇをタップすることにより、ユーザ登録を完了させることができる。「キャンセル」ボタン３０ｈをタップした場合にはユーザ登録が中止となる。ユーザ登録が完了すると、ユーザはＳＮＳの利用が可能となる。
【００４６】
避難所情報はユーザの属性情報であるが、ユーザが飼っているペットのプロフィールとしての役割も果たす。ペットのプロフィールとして避難所情報を公開することにより、地域とのつながりを深めることができ、居住地域のつながりを通じてユーザ間の交流を促進・支援することができる。避難所は地域ごとに必ず設けられているものであるため、ユーザの生活拠点を概略的に表示する情報として適している。ユーザの生活拠点の情報として自宅の住所を登録することも考えられるが、避難所情報は個人情報の安全性の面で有利である。
【００４７】
ユーザ登録後にユーザ端末４内のＳＮＳアプリ４ａを起動すると、ＳＮＳアプリ４ａがＳＮＳサーバ２にアクセスしてユーザ名（又はＥメールアドレス）とパスワードを送信し、ＳＮＳサーバ２によるログイン認証が行われる。ユーザのログインが許可されるとユーザ端末４とＳＮＳサーバ２との間のセッションが確立し、ユーザ端末４からＧＰＳ位置情報が送信される。ＧＰＳ位置情報はユーザのアクセスログに記録されると共に、後述する現在位置周辺の地図情報の取得・提供のために使用される。なおＧＰＳ位置情報はログイン直後の１回だけでなく、ログイン中にユーザ端末から定期的に送信されてもよい。
【００４８】
ＳＮＳアプリ４ａを立ち上げてログイン認証されたユーザ端末４のディスプレイにはＳＮＳのホーム画面である「ひろば」ページが表示される。
【００４９】
図４は、「ひろば」ページの構成の一例を示す画面図である。
【００５０】
図４に示すように、「ひろば」ページ１０Ａは、ＳＮＳの他のユーザが投稿したペットの写真２０ａを紹介するページである。
【００５１】
人が主役となる通常のＳＮＳと異なり、犬や猫が主役となる犬猫ペット専用ＳＮＳでは写真の公開範囲が制限されず、各ユーザが投稿したペットの写真２０ａは「ひろば」ページ１０Ａを通じて他のすべてのユーザに公開される。ペットの写真２０ａは時系列表示され、画面を縦スクロールさせることで古い写真を表示させることができる。
【００５２】
ＳＮＳアプリ４ａの基本的な画面レイアウトは、画面の上方のヘッダースペースに設けられたページタイトル１１と、画面中央のコンテンツ表示スペース１２と、画面下方のフッタースペースに設けられたメニューバー１３とで構成されている。コンテンツ表示スペース１２に表示しきれない内容は画面を上下方向にスワイプして縦スクロールさせることで表示することができる。
【００５３】
メニューバー１３には、「ひろば」ボタン１３ａ、「ほんだな」ボタン１３ｂ、「タイムライン」ボタン１３ｃ、「エリア」ボタン１３ｄ、「おうち」ボタン１３ｅが設けられており、これらのボタンのいずれかをタップすることで該当ページに移動することができる。さらに、メニューバー１３の上方の横方向中央には記事の新規投稿ボタン１４（カメラのマーク）が設けられており、新規投稿ボタン１４をタップすることで記事作成ページに移動することができる。新規投稿ボタン１４は、コンテンツ表示スペース１２の表示内容によらず常に最前面に表示される。
【００５４】
図４の「ひろば」ページ１０Ａにおいて、ユーザがいずれかの写真２０ａ（例えば左上の猫の写真）をタップするとその写真を含む投稿記事の詳細を示す記事詳細ページが表示される。
【００５５】
図５は、記事詳細ページの構成の一例を示す画面図である。
【００５６】
図５に示すように、記事詳細ページ１０Ｇには当該記事を構成するペットの写真２０ａ及び飼い主のユーザのコメント２０ｃが表示される。また、この記事詳細ページ１０Ｇ上には、写真２０ａに共感する他のユーザからのリンク情報を付与する「いいね」ボタン２０ｄ、「コメント追加」ボタン２０ｅ、「その他の操作選択」ボタン２０ｆなどが表示されている。「その他の操作選択」ボタン２０ｆからペットのフォローの登録や他のＳＮＳでのシェアの登録を選択することができる。このように、各ユーザは公開写真を閲覧することができ、さらに公開写真に共感やコメントを追加したり、公開写真のペットをフォローしたりシェアしたりすることができる。
【００５７】
図４の「ひろば」ページ１０Ａ上や図５の記事詳細ページ１０Ｇ上において、ユーザが記事の新規投稿ボタン１４をタップすると、ペットの写真撮影又は写真選択が行われた後、記事作成ページが表示される。
【００５８】
図６は、記事作成ページの構成の一例を示す画面図である。
【００５９】
図６に示すように、記事作成ページ１０Ｈには、撮影又は選択されたペットの写真２０ａが表示される写真表示フィールド２１ａと、写真２０ａを格納する「ブック」２０ｂの選択肢が表示されるブック選択フィールド２１ｂと、写真２０ａの撮影位置情報の追加フィールド２１ｃが設けられている。記事作成ページ１０Ｈ上でいずれかのブック２０ｂを選択し、撮影位置情報を必要に応じて追加した後、「投稿」ボタン２１ｄをタップすると、ペットの記事２０が新規に登録される。この記事は図４の「ひろば」ページ１０Ａ上で公開され、また図５のように記事の閲覧が可能である。
【００６０】
図６の記事作成ページ１０Ｈにおいて、撮影位置情報の追加フィールド２１ｃ内の位置情報追加ボタン２１ｅがタップされると、位置情報追加ページに移行する。
【００６１】
図７は、位置情報追加ページの構成の一例を示す画面図である。
【００６２】
図７に示すように、位置情報追加ページ１０Ｉにはユーザ端末４から送られてきた最新のＧＰＳ位置情報に基づいて決定したユーザの現在位置周辺の地図２２ａが表示される。地図２２ａの中心の十字マーク２２ｂは撮影位置情報として追加したい位置を指示しており、地図全体を上下左右にスライドさせることで十字マーク２２ｂの相対位置を動かすことができる。ユーザが地図２２ａ上の十字マーク２２ｂの位置を定めた後、決定ボタン２２ｃをタップすると、十字マーク２２ｂの位置情報（緯度・経度）が写真の撮影位置情報として登録される。キャンセルボタン２２ｄがタップされた場合には撮影位置情報の追加は行われず、記事作成ページ１０Ｈに戻る。
【００６３】
こうして図６の記事作成ページ１０Ｈ上で作成された記事は、図４のように「ひろば」ページ１０Ａ上で公開され、また図５のように個別に表示され、他のユーザは当該記事を閲覧することができる。また他のユーザが当該ペット（どうぶつブック）をフォローしている場合には、「タイムライン」ページ１０Ｃを通じて当該記事を閲覧することができる。
【００６４】
上記のように、アプリ動作画面のフッターエリアにはメニューバー１３が表示されており、「ひろば」、「ほんだな」、「タイムライン」、「エリア」、「おうち」のページ選択ボタン１３ａ〜１３ｅが設けられおり、これらのボタンのいずれかをタップすることで該当ページに移動することができる。
【００６５】
図８は、「ほんだな」ページの構成の一例を示す画面図である。
【００６６】
図８に示すように、「ほんだな」ページ１０Ｂは、各ユーザの記事をグループ化した「ブック」を本棚のように陳列表示するページである。「あたらしいなかま」表示フィールド２３ａには、各ユーザによって新規（例えば２４時間以内）に作成された「どうぶつブック」が表示されている。「どうぶつブック」は、「ブック」のうち一匹のペットと紐付けられたブック２０ｂであり、このペットの記事が格納されるデータフォルダである。また「わだいのブック」表示フィールド２３ｂには、現在から一定期間内（例えば２４時間以内）にアクセス数が多かったブック２０ｂが表示されている。また「おすすめブック」表示フィールド２３ｃには、ＳＮＳ管理人が推奨するブック２０ｂが表示されている。これらのフィールドに表示されているブック２０ｂをタップすることでそのブック２０ｂ内にまとめられた記事を見ることができる。つまり、「ひろば」ページ１０Ａがすべての記事を時系列表示するものであるのに対し、「ほんだな」ページ１０Ｂは特定の条件でグループ化された記事の格納先であるフォルダを表示するものである。
【００６７】
図９は、「タイムライン」ページの構成の一例を示す画面図である。
【００６８】
図９に示すように、「タイムライン」ページ１０Ｃは、自分のブックの記事２０、フォローしている他のペットの記事２０、フォローしているハッシュタグが付された記事２０などを時系列表示するページである。ユーザが複数のブックを設定している場合には、すべてのブックの記事が「タイムライン」ページ１０Ｃに表示される。画面を縦スクロールさせることで古い記事を表示させることができる。
【００６９】
図１０は、「エリア」ページの構成の一例を示す画面図である。
【００７０】
図１０に示すように、「エリア」ページ１０Ｄには、ユーザ端末４から送られてきたＧＰＳ位置情報に基づくユーザの現在位置を中心とする地図を表示する地図表示フィールド２４ａ、この現在位置付近に避難所登録しているユーザのペットを紹介するペット紹介フィールド２４ｂ、この現在位置付近で撮影されたペットの写真を紹介する写真紹介フィールド２４ｃ、現在位置付近でペットが迷子になっていることを知らせる迷子掲示板２４ｄが設けられている。ユーザは、「エリア」ページ１０Ｄを閲覧することで地元のユーザとのつながりや迷子のペットの捜索に協力することに対する意識を日ごろから高めることができる。特に、ペット紹介フィールド２４ｂによれば、ユーザがペットを通じて地域コミュニティと交流を深める機会を与えることができ、ＳＮＳの活性化を図ることができる。また、写真紹介フィールド２４ｃによれば、ユーザがペットを通じて他のユーザと交流を深める機会を与えることができ、ＳＮＳの活性化を図ることができる。
【００７１】
図１１は、「おうち」ページの構成の一例を示す画面図である。
【００７２】
図１１に示すように、「おうち」ページ１０Ｅはユーザ情報管理ページ（ダッシュボード）であり、ユーザアカウント表示フィールド２５ａ、マイブック表示フィールド２５ｂ、フォローしているブックを表示するフォローブック表示フィールド２５ｃ、「おしらせ」ボタン２５ｄ、「履歴」ボタン２５ｅ、「ユーザプロフィール編集」ボタン２５ｆ、「ユーザ設定」ボタン２５ｇなどが設けられており、ユーザはマイブックやフォローしているブックの編集・削除が可能である。フォローブック表示フィールド２５ｃに表示されているブック２０ｂのうち、「＃」マークが付けられたブックアイコンは、ハッシュタグでグループ化された記事が格納されたブックであることを示している。
【００７３】
ユーザ情報にはユーザＩＤやパスワードのほかにユーザの自宅近くの避難所の情報も含まれている。すなわち、ユーザの生活拠点の位置情報としては、自宅の位置情報ではなく、避難所の位置情報が使用される。避難所の情報は、ユーザのプロフィール情報の一つであって必須の登録項目である。以下、自宅近くの避難所の設定方法について説明する。
【００７４】
ユーザアカウント表示フィールド２５ａには、「ユーザ名」、「自己紹介」、「避難所」の情報が表示される。これらの基本情報は、「ユーザプロフィール編集」ボタン２５ｆをタップして編集画面上で編集が可能となっている。「避難所」の設定ページでは、ＧＰＳ位置情報から求めた現在位置を中心とする地図（図７参照）が表示され、地図上には複数の避難所が選択可能に表示されており、ユーザは地図上の避難所の一つを選択することができる。避難所の多くは学校などの公共施設である。避難所の選択を決定すると、その避難所がユーザの生活拠点として登録され、その後の各種機能に利用される。
【００７５】
図１１におけるマイブック表示フィールド２５ｂには「新しいブックを作る」ボタン２５ｈが設けられており、この「新しいブックを作る」ボタン２５ｈをタップすると「新規ブック作成」ページに移行する。
【００７６】
図１２（ａ）及び（ｂ）は、「新規ブック作成」ページの構成の一例を示す画面図である。
【００７７】
図１２（ａ）及び（ｂ）に示すように、「新規ブック作成」ページは、ブック種類選択ページ１０Ｆａとブック詳細設定ページ１０Ｆｂとで構成される。
【００７８】
図１２（ａ）に示すように、ブック種類選択ページ１０Ｆａには、「どうぶつブックをつくる」ボタン２６ａ、「思い出ブックをつくる」ボタン２６ｂ、「自由帳をつくる」ボタン２６ｃが設けられており、いずれかのボタンをタップすることでブックの種類を選択することができる。ブックの種類の選択後、ブック詳細設定ページ１０Ｆｂに移行する。
【００７９】
図１２（ｂ）に示すように、「どうぶつブック」を選択した後のブック詳細設定ページ１０Ｆｂには、「どうぶつのなまえ」入力フィールド２６ｄ、「種類（犬又は猫）」入力フィールド２６ｅ、プロフィール写真２６ｆなどが設けられており、これらの情報を入力して「作成する」ボタン２６ｇをタップすると、どうぶつブックが新規に作成される。
【００８０】
このように「どうぶつブック」を新規作成する場合、どうぶつの「名前」、「種類（犬又は猫）」、どうぶつの「プロフィール写真」を最低でも登録する必要がある。どうぶつブックを作成するとペットアカウントが新規に作成されるので、当該どうぶつブックに特定のペットの写真を投稿することが可能となる。
【００８１】
上記のように、「ブック」はペットの記事をまとめたデータフォルダ（パス）であり、特に、「どうぶつブック」はユーザ自身が飼っているペットの記事をまとめたものである。ブックには、「どうぶつブック」、「思い出ブック」、「自由帳」の３種類がある。「どうぶつブック」は、現在飼っているペットの記事をまとめたブックであり、「思い出ブック」は過去に飼っていたペットの記事をまとめたブックであり、「自由帳」は任意の犬又はネコに関する自由な記事をまとめたブックである。すなわち「どうぶつブック」と「思い出ブック」が特定のペットに紐づいた記事を格納する場所であるのに対し、「自由帳」は特定のペットに紐づかない自由な記事を格納する場所である。
【００８２】
「どうぶつブック」を作成する場合、ペットの「生死」ステータスが「生」（第１のステータス）に設定され、「思い出ブック」を作成する場合、ペットの「生死」ステータスが「死」（第２のステータス）に設定される。
【００８３】
ユーザが本当にペットを飼っているかどうかを厳密に解釈する必要はなく、ユーザ自らが当該ペットを飼っていると認めるものであれば、法律上の証明などは不要である。また野良犬や野良猫であっても、特定のユーザが時々世話をしてあげているような場合には、飼っている場合に含まれる。特に、地域猫と呼ばれる、特定のエリア内に住み着いている野良猫なども当該地域猫を世話しているユーザが飼っているものと解釈することができる。
【００８４】
図１３は、「どうぶつブック」閲覧ページの構成の一例を示す画面図である。
【００８５】
図１３に示すように、「どうぶつブック」閲覧ページ１０Ｊには、このどうぶつブックに紐づけたペットの記事が時系列表示される。また「どうぶつブック」閲覧ページ１０Ｊには「プロフィール編集」ボタン２７ａが設けられており、このボタンをタップすることで「プロフィール編集」ページに移行することができる。さらに「迷子掲示板を作成する」ボタン２７ｂが設けられており、このボタンをタップすることで「迷子掲示板作成」ページに移行することができる。なお「プロフィール編集」ボタン２７ａや「迷子掲示板を作成する」ボタン２７ｂはユーザが自分の「どうぶつブック」閲覧ページ１０Ｊを開いたときにだけ表示されるものであり、他のユーザの「どうぶつブック」閲覧ページ１０Ｊを開いたときは表示されない。
【００８６】
「思い出ブック」ページも「どうぶつブック」閲覧ページ１０Ｊと同様に構成することができるが、「迷子掲示板を作成する」ボタン２７ｂは設けられない。すでに亡くなっているペットが迷子になることはないからである。
【００８７】
図１４は、「ペットプロフィール編集」ページの構成の一例を示す画面図である。
【００８８】
図１４に示すように、「ペットプロフィール編集」ページ１０Ｋでは、ペットのプロフィール情報を編集可能である。ペットのプロフィール情報は、「名前」２８ａ、「性別」２８ｂ、「種類（犬又は猫）」２８ｃ、「体重」２８ｄ、「身長」２８ｅ、「年齢」２８ｆ、「プロフィール（紹介文）」２８ｇ、「特徴」２８ｈ、首輪の色や素材、迷子札の有無などの「首輪の特徴」２８ｉ、マイクロチップ番号である「マイクロチップ」２８ｊ、犬の場合の「鑑札」２８ｋ、「大きさが分かる写真」２８ｌ、「横から見た写真」２８ｍ、「特徴が分かる写真」２８ｎがそれぞれ登録される。ペットのプロフィール情報は他のユーザに対して提供される。またこれら情報の一部はペットが迷子になった際に、迷子情報として利用される。
【００８９】
また「ペットプロフィール編集」ページ１０Ｋには「思い出ブックに切り替える」ボタン２８ｐが設けられており、当該ボタンをタップするとこのどうぶつブック全体が「思い出ブック」に切り替えられる。思い出ブックに変更されると、ペットの「生死」ステータスが「生」から「死」に変更され、これにより迷子機能などから切り離される。すなわち、「どうぶつブック」閲覧ページ１０Ｊには迷子情報作成ページへのアクセスリンクである「迷子掲示板を作成する」ボタン２７ｂが表示されなくなる。
【００９０】
次に、自分のペットが迷子になったときの迷子情報の作成方法について説明する。
【００９１】
図１３に示したように、「どうぶつブック」閲覧ページ１０Ｊには、当該どうぶつブックに紐づいているペットが迷子になったときに迷子掲示板の作成のための「迷子掲示板を作成する」ボタン２７ｂが設けられており、このボタンをタップすると「迷子掲示板作成」ページに移行する。
【００９２】
図１５は、「迷子掲示板作成」ページの構成の一例を示す画面図である。
【００９３】
図１５に示すように、「迷子掲示板作成」ページ１０Ｌには、「いなくなった日時」入力フィールド２９ａ、「いなくなった場所」入力フィールド２９ｂ、「いなくなったときの状況」入力フィールド２９ｃ、「見つけた場合（にどうしてほしいか？）」入力フィールド２９ｄ、「連絡先」入力フィールド２９ｅなどが設けられており、各入力フィールドに必要事項を入力すると、ペットの迷子情報が新規に登録される。また「いなくなった場所」入力フィールド２９ｂをタップすると、地図画面が表示され、地図上で迷子発生地点を指定することができ、これにより迷子発生地点の位置情報が登録される。
【００９４】
さらにペットの迷子情報としては、これらの入力情報だけでなく、図１４に示したペットのプロフィール（属性情報）の一部も利用される。ＳＮＳサーバ２は、「迷子掲示板作成」ページ１０Ｌ上で入力された必要事項と迷子のペットの既存のプロフィール情報の一部とを組み合わせて迷子情報を生成する。このように、ＳＮＳサーバ２に予め登録しているペットのプロフィールデータを利用してペットの迷子情報を生成することで、ペットの迷子情報を短時間で容易に作成することができる。
【００９５】
こうしてあるユーザ（第１のユーザ）のペットの迷子情報が登録されると、迷子発生地点から一定範囲内（例えば半径５ｋｍ圏内）に避難所を登録している他のユーザ（第２のユーザ）の「エリア」ページ１０Ｄの迷子掲示板２４ｄにペットの迷子情報が表示される。
【００９６】
図１６は、ペットの迷子が発生しているときの「エリア」ページの表示状態を示す画面図である。
【００９７】
図１６に示すように、「エリア」ページの迷子掲示板２４ｄには、ペットのプロフィール情報を含む迷子情報が表示される。迷子情報は、ペットの「名前」２８ａ'，「種類」２８ｂ'、「特徴」２８ｈ'、「首輪の特徴」２８ｉ'、「マイクロチップ」２８ｊ'、「マイクロチップ」２８ｊ'、「鑑札」２８ｋ'、「いなくなった日時」２９ａ'、「いなくなった場所」２９ｂ'、「いなくなったときの状況」２９ｃ'、「見つけた場合（にどうしてほしいか？）」２９ｄ'、「連絡先」２９ｅ'、「大きさが分かる写真」２８ｌ'、「横から見た写真」２８ｍ'、「特徴が分かる写真」２８ｎ'などである。
【００９８】
こうして迷子掲示板２４ｄに掲示されたペットの迷子情報を見た他のユーザ（第２のユーザ）は、当該ペットの「どうぶつブック」閲覧ページ１０Ｊにアクセスして迷子のペットの外観や特徴をさらに確認することができる。さらに迷子のペットをフォローした場合には、タイムライン上に迷子のペットの記事が掲載されるようになるので、迷子のペットの捜索状況に関する最新の投稿記事をチェックすることが可能となる。
【００９９】
ペットの迷子情報は、ペットの迷子発生地点から一定範囲内（例えば半径５ｋｍ圏内）でＳＮＳアプリ４ａを起ち上げた他のユーザ（第３のユーザ）の「エリア」ページ１０Ｄの迷子掲示板２４ｄに掲示されてもよい。上記のようにユーザがユーザ端末４内のＳＮＳアプリ４ａを起ち上げるとＳＮＳサーバ２にＧＰＳ位置情報が送信されるので、この位置情報を用いてユーザがペットの迷子発生エリア内にいるかどうかを判断することができる。これによれば、ペットが迷子になったエリアを訪れているユーザに対して協力を求めることができ、ペットを探すことができる協力者をさらに増やすことができる。
【０１００】
通常、ＳＮＳにおいて友達関係にないユーザの記事又は当該ユーザによってフォローされていない記事がタイムラインに直接表示されることはなく、また友達関係にないユーザにメッセージを送ることはできない。ペット専用ＳＮＳにおいても、フォローしていないペットの記事がタイムライン等に表示されることはなく、迷子情報が提供されることもなかった。しかし本実施形態においては、ユーザがペットの迷子情報を新規に作成して登録した場合に、当該ペット又はペットの飼い主であるユーザをフォローしているか否かを問わず、迷子発生地点から一定範囲内に避難所登録を有する他のすべてのユーザに対してペットの迷子情報を提供するので、ＳＮＳシステム１に予め登録されているユーザの情報を有効に利用して、迷子ペットの捜索に対する協力を簡単に求めることができる。
【０１０１】
以上説明したように、本実施形態によるＳＮＳシステム１は、ＳＮＳに登録されているユーザの属性情報である避難所情報を利用して、迷子発生地点から一定範囲内に避難所登録を有するユーザ、あるいは迷子発生地点から一定範囲内でＳＮＳアプリ４ａを起動したユーザに対して迷子情報を提供するので、ペットを発見してくれる可能性がある人たちだけに迷子ペット探しの協力を求めるができ、ペットが発見される確率を大幅に高めることができる。ペット専用ＳＮＳのユーザの多くは迷子のペット探しに協力的であるものと期待できることから、迷子のペットが発見される確率を大幅に高めることができる。さらに、ユーザは例えばスマートフォンなどの携帯端末を使用していつでもどこからでもＳＮＳにアクセスできるので、例えば道端で迷子らしきペットを見かけた場合にＳＮＳにアクセスして迷子情報を確認し、ペットの写真と照らし合わせてその場で容易に確認することができ、迷子ペット探しの利便性を高めることができる。
【０１０２】
また、本実施形態においては、ＳＮＳに登録されているユーザの生活拠点の位置情報が実際の自宅の位置情報ではなく、ユーザの自宅近くの避難所の位置情報であるため、ユーザの個人情報を保護しながら安全に楽しくＳＮＳを利用してもらうことができる。また、日ごろから避難所を意識してもらうことができ、防災面にも貢献することができる。
【０１０３】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【０１０４】
例えば、上記実施形態で示したＳＮＳのデータベース構造、データの種類、画面レイアウト等は一例であって、種々のデータベース構造やデザインレイアウトを採用することができる。
【０１０５】
また、本実施形態においては、ユーザの生活拠点の位置情報として避難所の位置情報を登録する場合を例に挙げたが、本発明はこれに限定されるものではなく、例えばコンビニエンスストア、病院、お寺や神社など、数１００〜数ｋｍの間隔で点在する他の特定の場所を対象とすることも可能である。ただし、避難所の場合には、防災面に対するユーザの意識の向上を図ることができる点で非常に有効である。
【０１０６】
また、上記実施形態ではペットの種類を犬又は猫に限定した犬猫ペット専用ＳＮＳを例に挙げたが、本発明はこれに限定されるものではなく、犬や猫以外の他の種類のペットの写真やコメントを受け付けるものであってもよい。
【符号の説明】
【０１０７】
１  ＳＮＳシステム，２  ＳＮＳサーバ，２ａ  ユーザ情報管理部，２ｂ  ペット情報管理部，２ｃ  記事管理部，２ｄ  迷子情報管理部，３  インターネット，４  ユーザ端末，４ａ  ＳＮＳアプリ，５ａ  避難所データベース，５ｂ  地図データベース，６  ユーザアカウント，７  ペットアカウント，８  ブック，８Ａ  ブック（どうぶつブック），８Ｂ  ブック（自由帳），１０Ａ  「ひろば」ページ，１０Ｂ  「ほんだな」ページ，１０Ｃ  「タイムライン」ページ，１０Ｄ  「エリア」ページ，１０Ｅ  「おうち」ページ，１０Ｆａ  ブック種類選択ページ，１０Ｆｂ  ブック詳細設定ページ，１０Ｇ  記事詳細ページ，１０Ｈ  記事作成ページ，１０Ｉ  位置情報追加ページ，１０Ｊ  「どうぶつブック」閲覧ページ，１０Ｋ  「ペットプロフィール編集」ページ，１０Ｌ  「迷子掲示板作成」ページ，１０Ｘ  ユーザ登録ページ，１１  ページタイトル，１２  コンテンツ表示スペース，１３  メニューバー，１３ａ  「ひろば」ボタン（「ひろば」ページ選択ボタン），１３ｂ  「ほんだな」ボタン（「ほんだな」ページ選択ボタン），１３ｃ  「タイムライン」ボタン（「タイムライン」ページ選択ボタン），１３ｄ  「エリア」ボタン（「エリア」ページ選択ボタン），１３ｅ  「おうち」ボタン（「おうち」ページ選択ボタン），１４  新規投稿ボタン，２０  記事（記事データ），２０ａ  写真（写真データ），２０ｂ  ブック，２０ｃ  コメント（コメントデータ），２０ｄ  「いいね」ボタン，２０ｅ  「コメント追加」ボタン，２０ｆ  「その他の操作選択」ボタン，２０ｇ  撮影位置情報，２０ｈ  「いいね」リンク情報，２１ａ  写真表示フィールド，２１ｂ  ブック選択フィールド，２１ｃ  撮影位置情報の追加フィールド，２１ｄ  「投稿」ボタン，２１ｅ  位置情報追加ボタン，２２ａ  地図，２２ｂ  地図上の十字マーク，２２ｃ  決定ボタン，２２ｄ  キャンセルボタン，２３ａ  「あたらしいなかま」表示フィールド，２３ｂ  「わだいのブック」表示フィールド，２３ｃ  「おすすめブック」表示フィールド，２４ａ  地図表示フィールド，２４ｂ  ペット紹介フィールド，２４ｃ  写真紹介フィールド，２４ｄ  迷子掲示板，２５ａ  ユーザアカウント表示フィールド，２５ｂ  マイブック表示フィールド，２５ｃ  フォローブック表示フィールド，２５ｄ  「お知らせ」ボタン，２５ｅ  「履歴」ボタン，２５ｆ  「ユーザプロフィール編集」ボタン，２５ｇ  「ユーザ設定」ボタン，２５ｈ  「新しいブックをつくる」ボタン，２６ａ  「どうぶつブックをつくる」ボタン，２６ｂ  「思い出ブックをつくる」ボタン，２６ｃ  「自由帳をつくる」ボタン，２６ｄ  「どうぶつのなまえ」入力フィールド，２６ｅ  「どうぶつの種類」入力フィールド，２６ｆ  プロフィール写真追加ボタン，２７ａ  「プロフィール編集」ボタン，２７ｂ  「迷子掲示板を作成する」ボタン，２８ａ  「名前」データ，２８ｂ  「性別」データ，２８ｃ  「種類（犬又は猫）」データ，２８ｄ  「体重」データ，２８ｅ  「身長」データ，２８ｆ  「年齢」データ，２８ｇ  「プロフィール（紹介文）」データ，２８ｈ  「特徴」データ，２８ｉ  「首輪の特徴」データデータ，２８ｊ  「マイクロチップ」データ，２８ｋ  「鑑札」データ，２８ｌ  「��きさが分かる写真」データ，２８ｍ  「横から見た写真」データ，２８ｎ  「特徴が分かる写真」データ，２８ｐ  「思い出ブックに切り替える」ボタン，２８ａ'  「名前」表示フィールド，２８ｂ'  「種類」表示フィールド，２８ｈ'  「特徴」表示フィールド，２８ｉ'  「首輪の特徴」表示フィールド，２８ｊ'  「マイクロチップ」表示フィールド，２８ｋ'  「鑑札」表示フィールド，２８ｌ'  「大きさが分かる写真」表示フィールド，２８ｍ'  「横から見た写真」表示フィールド，２８ｎ'  「特徴が分かる写真」表示フィールド，２９ａ  「いなくなった日時」表示フィールド，２９ｂ  「いなくなった場所」表示フィールド，２９ｃ  「いなくなったときの状況」表示フィールド，２９ｄ  「見つけた場合（にどうしてほしいか？）」表示フィールド，２９ｅ  「連絡先」表示フィールド，２９ａ'  「いなくなった日時」表示フィールド，２９ｂ'  「いなくなった場所」表示フィールド，２９ｃ'  「いなくなったときの状況」表示フィールド，２９ｄ'  「見つけた場合」表示フィールド，２９ｅ'  「連絡先」表示フィールド，３０ａ  「ユーザ名」入力フィールド，３０ｂ  「パスワード」入力フィールド，３０ｃ  「Ｅメールアドレス」入力フィールド，３０ｄ  「プロフィール」入力フィールド，３０ｅ  避難所選択画面（地図），３０ｆ  避難所（選択マーク），３０ｇ  「決定」ボタン，３０ｈ  「キャンセル」ボタン
【図１】
2018036762.tif 000003
【図２】
2018036762.tif 000004
【図３】
2018036762.tif 000005
【図４】
2018036762.tif 000006
【図５】
2018036762.tif 000007
【図６】
2018036762.tif 000008
【図７】
2018036762.tif 000009
【図８】
2018036762.tif 000010
【図９】
2018036762.tif 000011
【図１０】
2018036762.tif 000012
【図１１】
2018036762.tif 000013
【図１２】
2018036762.tif 000014
【図１３】
2018036762.tif 000015
【図１４】
2018036762.tif 000016
【図１５】
2018036762.tif 000017
【図１６】
2018036762.tif 000018